(57)【要約】      （修正有）【課題】略円筒形状の保持円筒部材を用いて、ネジの取り付けや取り外しの際に容易にネジを保持することができるドライバーを提供する。【解決手段】ネジを締め付けて固定したり、緩めて外したりするドライバー１００であって、ネジを内部に保持する保持円筒部材１１を備え、保持円筒部材１１は、略円筒形状であり、ドライバー軸部を同軸に挿入して軸方向に移動可能に配置し、ネジを締め付けて固定するときに、保持円筒部材１１を軸方向に移動してドライバー軸部の先端に移動し、移動した該保持円筒部材１１の内部に該ネジを配置して保持し、該ネジの先端を所望の位置に移動する。【選択図】図１
0003210273.tif 000002
【実用新案登録請求の範囲】
【請求項１】
ネジを締め付けて固定したり、緩めて外したりするドライバーであって、
前記ネジを内部に保持する保持円筒部材を備え、
前記保持円筒部材は、略円筒形状であり、ドライバー軸部を同軸に挿入して軸方向に移動可能に配置し、
前記ネジを締め付けて固定するときに、前記保持円筒部材を軸方向に移動して前記ドライバー軸部の先端に移動し、移動した該保持円筒部材の内部に該ネジを配置して保持し、該ネジの先端を所望の位置に移動する、
ことを特徴とするドライバー。
【請求項２】
前記ドライバー軸部に略凸部形状のストッパー部をさらに備え、
前記保持円筒部材は、該保持円筒部材のドライバー持ち手側の内側表面に略凸形状の止め部を備え、
前記ネジを締め付けて固定するときで、前記保持円筒部材を軸方向に移動して前記ドライバー軸部の先端に移動する場合に、前記ストッパー部で前記止め部を接触させて、前記保持円筒部材の位置を固定する、
ことを特徴とする、請求項１に記載のドライバー。
【請求項３】
前記保持円筒部材の略円筒形状の内径は、前記ネジのネジ頭の外径より、大きい、ことを特徴とする、請求項１又は請求項２に記載のドライバー。
【考案の詳細な説明】
【技術分野】
【０００１】
本考案は、ネジを脱落することなく、安全で容易に使用でき、ネジを締め付けて固定したり、緩めて外したりするドライバーに関する。
【背景技術】
【０００２】
ネジを指先に持ってドライバーでねじ込むことが一般的である。また、ネジを磁力で保持する磁石付きドライバーが知られている。特許文献１では、基端部に被殴打部を備えたグリップ体にビット杆が設けられたドライバーであって、前記被殴打部は強化プラスチックで構成され、更に前記被殴打部は前記ビット杆の基端部に当接していることを特徴とするドライバーに関する技術を開示している。
【先行技術文献】
【特許文献】
【０００３】
【特許文献１】特開２０１７−３００９２号公報
【考案の概要】
【考案が解決しようとする課題】
【０００４】
しかしながら、特許文献１では、ネジをドライバーの先に指で配置して使用するため、ネジの取り付けや取り外しの際にネジを脱落させてしまう場合があった。また、特許文献１では、特に精密機械等の狭いところでドライバーを使用する際に、ネジをドライバーの先に指で配置したままで使用することができない場合、または、指を怪我する場合があった。更に、特許文献１には、磁力で保持できないネジ（非磁性体など）を保持することができるドライバーに関する技術の記載がない。
【０００５】
本考案は、ネジの取り付けや取り外しの際に、容易にネジを保持することができるドライバーを提供することを目的とする。
【課題を解決するための手段】
【０００６】
上記課題を解決するために、本考案の一つの実施形態は、ネジを締め付けて固定したり、緩めて外したりするドライバーであって、前記ネジを内部に保持する保持円筒部材を備え、前記保持円筒部材は、略円筒形状であり、ドライバー軸部を同軸に挿入して軸方向に移動可能に配置し、前記ネジを締め付けて固定するときに、前記保持円筒部材を軸方向に移動して前記ドライバー軸部の先端に移動し、移動した該保持円筒部材の内部に該ネジを配置して保持し、該ネジの先端を所望の位置に移動する、ことを特徴とするドライバーを提供する。
【０００７】
本考案の他の実施形態は、上記のドライバーであって、前記ドライバー軸部に略凸部形状のストッパー部をさらに備え、前記保持円筒部材は、該保持円筒部材のドライバー持ち手側の内側表面に略凸形状の止め部を備え、前記ネジを締め付けて固定するときで、前記保持円筒部材を軸方向に移動して前記ドライバー軸部の先端に移動する場合に、前記ストッパー部で前記止め部を接触させて、前記保持円筒部材の位置を固定する、ことを特徴とするドライバーであってもよい。
【０００８】
本考案の他の実施形態は、上記のいずれか１つのドライバーであって、前記保持円筒部材の略円筒形状の内径は、前記ネジのネジ頭の外径より、大きい、ことを特徴とするドライバーであってもよい。
【考案の効果】
【０００９】
本考案に係るドライバーによれば、略円筒形状の保持円筒部材を用いて、ネジの取り付けや取り外しの際に容易にネジを保持することができる。
【図面の簡単な説明】
【００１０】
【図１】本考案の実施形態に係るドライバーの一例を説明する概略外観図である。
【図２】本考案の実施形態に係るドライバーの保持円筒部材の一例を説明する説明図である。
【図３】本考案の実施例に係るドライバーのストッパー部の一例を説明する説明図である。
【図４】本考案の実施例に係るドライバーの使用状態の一例を説明する説明図である。
【考案を実施するための形態】
【００１１】
実施形態に係るドライバーの例を用いて、本考案を説明する。本考案は、以後に説明するドライバー以外でも、ネジを締め付けて固定したり、緩めて外したりするドライバーであって、ネジを保持することができるドライバーであれば、いずれのドライバーにも用いることができる。なお、ドライバーの素材、色、保持円筒部材（後述）以外の形状は、特に限定されない。ドライバーの色は、例えば使用者（消費者）の趣味趣向に合わせた柄のものであってもよい。
【００１２】
以後に、本考案を説明する。
【００１３】
図１乃至図４を用いて、本考案の実施形態に係るドライバー１００の構成を説明する。ここで、図１は、本考案の実施形態に係るドライバー１００の一例を説明する概略外観図である。図２は、本考案の実施形態に係るドライバー１００の保持円筒部材１１の一例を説明する説明図である。図３は、本考案の実施形態に係るドライバー１００のストッパー部１２の一例を説明する説明図である。図４（ａ）は、本考案の実施例に係るドライバー１００の使用状態（ネジの配置）の一例を説明する説明図である。図４（ｂ）は、本考案の実施例に係るドライバー１００の使用状態（ネジの保持）の一例を説明する説明図である。図４（ｃ）は、本考案の実施例に係るドライバー１００の使用状態（ネジの取り付け）の一例を説明する説明図である。ただし、図４（ｃ）は、ドライバー１００の保持円筒部材１１を透明にして表示している。なお、図１等に示すドライバーの構成等は一例であり、本考案は図１等に示すドライバー等に限定されるものではない。
【００１４】
図１に示すように、本考案に係るドライバー１００は、ネジを締め付けて固定したり、緩めて外したりする道具である。本考案に係るドライバー１００は、ネジを内部に保持する保持円筒部材１１と、ドライバー軸部に略凸部形状のストッパー部１２を備える。本考案に係るドライバー１００は、少なくとも保持円筒部材１１を用いて、ネジを保持する。
【００１５】
図２および図１に示すように、保持円筒部材１１は、略円筒形状であり、ドライバー軸部を同軸に挿入して軸方向に移動可能に配置している。保持円筒部材１１は、本実施形態では、保持円筒部材１１のドライバー持ち手側の内側表面に略凸形状の止め部１１ｓを備える。本考案に係るドライバー１００は、ネジを締め付けて固定するときに、保持円筒部材１１を軸方向に移動して、保持円筒部材１１をドライバー軸部の先端に移動し、移動した保持円筒部材１１の内部にネジを配置して保持し、ネジの先端を所望の位置に移動する。なお、保持円筒部材１１の略円筒形状の内径は、使用するネジの所望のネジ頭の外径より大きくなるように設計することができる。
【００１６】
図３および図１に示すように、ストッパー部１２は、保持円筒部材の位置を固定する部材である。ストッパー部１２は、本実施形態では、略凸部形状でドライバー軸部に配置されている。ストッパー部１２は、ネジを締め付けて固定するときで、保持円筒部材１１を軸方向に移動してドライバー軸部の先端に移動する場合に、ストッパー部１２で止め部１１ｓを接触させて、保持円筒部材の位置を固定する。
【００１７】
以下にて、図４を用いて具体的な使用例を説明する。
【００１８】
図４（ａ）に示すように、本考案に係るドライバー１００の保持円筒部材はドライバー軸部の軸方向に移動可能（図中のＭａ）に配置されている。図４（ａ）および図４（ｂ）に示すように、本考案に係るドライバー１００は、ネジ（図４（ａ）のＳｃ）を締め付けて固定するときに、保持円筒部材１１を軸方向に移動して、保持円筒部材１１をドライバー軸部の先端に移動し、移動した保持円筒部材１１の内部にネジを配置して保持することができる。これにより、図４（ｃ）に示すように、本考案に係るドライバー１００は、ネジを取り付ける際に、ネジを保持した保持円筒部材１１（ネジの先端）を所望の位置に移動することができる。また、本考案に係るドライバー１００は、ネジを取り外す際にも、同様に、保持円筒部材１１の内部に取り外したネジを保持することができる。
【００１９】
本考案に係るドライバーによれば、略円筒形状の保持円筒部材を用いて、ネジの取り付けや取り外しの際に容易にネジを保持することができる。また、本考案に係るドライバーによれば、ネジをドライバーの先に指で配置する必要がない。また、本考案に係るドライバーによれば、ネジをドライバーの先に指で配置する必要がないため、ネジの取り付けや取り外しの際にネジを脱落させてしまうことがない。また、本考案に係るドライバーによれば、ネジをドライバーの先に指で配置する必要がないため、特に精密機械等の狭いところでドライバーを使用する際に利便性が高い。また、本考案に係るドライバーによれば、ネジをドライバーの先に指で配置する必要がないため、指を怪我することを防止することができる。更に、本考案に係るドライバーによれば、略円筒形状の保持円筒部材を用いて、ネジの取り付けや取り外しの際に容易にネジを保持することができるので、磁力で保持できないネジ（非磁性体など）を保持することができる。
【００２０】
本考案に係るドライバーによれば、保持円筒部材に透明の材料を使用することで内部のネジを確認することができ、スマートでデザイン性が高い。また、本考案に係るドライバーによれば、略円筒形状の保持円筒部材を用いて、ネジの取り付けや取り外しの際に容易にネジを保持することができるので、作業性を向上することができる。
【００２１】
以上のとおり、本考案に係る実施形態について説明したが、本考案は上記の実施形態に限定されるものではない。すなわち、本考案は、実用新案登録請求の範囲に記載の内容に基づいて、様々に変形、変更又はその他任意に改変され得る。
【符号の説明】
【００２２】
１００  ：  ドライバー
１１  ：  保持円筒部材
１１ｓ：  止め部
１２  ：  ストッパー部
Ｓｃ  ：  ネジ
【図１】
0003210273.tif 000003
【図２】
0003210273.tif 000004
【図３】
0003210273.tif 000005
【図４】
0003210273.tif 000006